(57)【要約】【課題】間接照明において放電灯の点灯時間の経過に伴って照明環境が変化するのを防ぐことのできる照明装置を提供する。【解決手段】器具本体２と、器具本体２に設けられて放電灯１が着脱自在に装着されるソケット２０と、器具本体２に収納されてソケット２０を介して放電灯１に点灯に必要な電力を供給するための点灯装置３とを備え、放電灯１から照射される光を壁面Ａ及び天井面Ｂで反射させた反射光を被照射空間に照射するものであって、点灯装置３に、放電灯１の点灯時間を計測する計時手段、及び計測した点灯時間に応じて放電灯１への供給電力を制御する制御手段とを有し、放電灯１の点灯時間の経過に伴う光束低下を抑制するように照度を補正する照度補正手段を設けた。【選択図】図１
2009152145.tif 000002
【特許請求の範囲】
【請求項１】
器具本体と、器具本体に設けられて放電灯が着脱自在に装着されるソケットと、器具本体に収納されてソケットを介して放電灯に点灯に必要な電力を供給するための点灯装置とを備え、放電灯から照射される光を壁面や天井面で反射させた反射光を被照射空間に照射する照明装置であって、点灯装置は、放電灯の点灯時間の経過に伴う光束低下を抑制するように照度を補正する照度補正手段を有することを特徴とする照明装置。
【請求項２】
前記照度補正手段は、放電灯の点灯時間を計測する計時手段と、計測した点灯時間に応じて放電灯への供給電力を制御する制御手段とを有することを特徴とする請求項１記載の照明装置。
【請求項３】
前記照度補正手段は、器具本体の外部に設けられて放電灯の点灯時間を計測する計測装置からの情報を取得するとともに、取得した情報に応じて放電灯への供給電力を制御する制御手段を有することを特徴とする請求項１記載の照明装置。
【請求項４】
前記器具本体には、放電灯からの光が照射される壁面や天井面と放電灯との間の距離を可変とする距離可変手段が設けられたことを特徴とする請求項１又は２記載の照明装置。
【請求項５】
前記器具本体には、放電灯からの光を壁面や天井面に向けて反射させる反射板が設けられ、反射板には、反射板の壁面又は天井面に対する角度を可変とする角度可変手段が設けられたことを特徴とする請求項１又は２記載の照明装置。
【請求項６】
前記器具本体には、放電灯からの光を壁面や天井面に向けて反射させる反射板が設けられ、反射板には、反射板の少なくとも任意の一方向の長さを可変とする長さ可変手段が設けられたことを特徴とする請求項１又は２に記載の照明装置。
【請求項７】
前記器具本体には、前記各可変手段を放電灯の点灯時間に応じて自動的に調整する調整手段が設けられたことを特徴とする請求項４乃至６の何れか１項に記載の照明装置。
【請求項８】
前記放電灯は、直管形で且つ長手方向の端部周面から周方向に突設する口金を有するものであって、器具本体には、前記口金が装着されるソケットが設けられたことを特徴とする請求項１乃至７の何れか１項に記載の照明装置。
【発明の詳細な説明】
【技術分野】
【０００１】
本発明は、間接照明用の照明装置に関する。
【背景技術】
【０００２】
近年、特に店舗において雰囲気作りを重視した照明環境が望まれており、このような照明環境を実現するために、放電灯からの光を直接空間に照射せず、壁面や天井面に反射させて間接的に光を空間に照射する間接照明装置が提供されている（例えば、特許文献１参照）。間接照明では、放電灯から発せられた光が壁面や天井面に照射され、壁面や天井面の材質に応じた固有の光スペクトル別の吸収率、反射率、及び透過率の影響で色温度が変化する。以下、壁面の材質による色温度の変化の具体例について図面を用いて説明する。
【０００３】
先ず、互いに色温度の異なる４種類の放電灯の分光スペクトル分布を図７（ａ）〜（ｄ）に示す。尚、図７（ａ）は色温度が約３０００Ｋの場合、図７（ｂ）は色温度が約３２００Ｋの場合、図７（ｃ）は色温度が約５０００Ｋの場合、図７（ｄ）は色温度が約６７００Ｋの場合を示している。色温度が約３０００Ｋの放電灯では、図７（ａ）に示すように、約５６０ｎｍ及び約６２０ｎｍの波長においてそれぞれピークを有しており、色温度が約６７００Ｋの放電灯では、図７（ｄ）に示すように、約５５０ｎｍの波長において大きなピークを有するとともに、約４４０ｎｍ及び約６２０ｎｍの波長においてそれぞれ小さなピークを有している。
【０００４】
次に、代表的な壁材の反射分光特性を図８に示す。尚、同図における曲線アは石膏の場合、曲線イはヒノキ板目ツキ板塗装無しの場合、曲線ウはヒノキ板目ツキ板塗装有りの場合、曲線エは絹の場合、曲線オは大理石の場合、曲線カはチーク板目塗装無しの場合を示している。例えば、石膏の場合では、低域の波長帯約３００ｎｍ〜８００ｎｍにかけて略一定の反射率を有している（同図における曲線ア参照）。即ち、石膏から成る壁面では、照射される光のスペクトルをそのままの分光スペクトルで反射することができるため、石膏は色温度が殆ど変化しない壁材といえる。これに対して、ヒノキ等の木材の場合では、低域波長の約４００ｎｍ以下では殆ど反射せず、中域から高域にかけての波長帯で反射率が上昇する傾向がある（同図における曲線イ，ウ参照）。このため、例えば低域波長で小さなピークを有する色温度が約６７００Ｋの放電灯の光を上記ヒノキ等の木材から成る壁面で反射させると、その反射光の色温度を約３０００Ｋの放電灯のように電球色に近い色温度に変化させることができる。
【０００５】
上述のように、壁材や照明装置の構造等を適宜変更することで、間接照明による照明環境を自由に設計することができる。
【特許文献１】実用新案登録  第３０６３９７２号公報
【発明の開示】
【発明が解決しようとする課題】
【０００６】
ところで、色温度は光の強さにも相関性があり、光束によっても大きく影響を受ける。これは、壁材の反射率だけではなく吸収率や透過率によっても分光スペクトル分布のピークが変化するためで、被照射空間に照射される光の照度によって色の感じ方が大きく変わる。例えば光束が少ないと薄暗く、即ち色温度が低く感じ、光束が多いと明るく、即ち色温度が高くなるように感じる。
【０００７】
しかしながら、従来の間接照明装置では、放電灯の点灯時間の経過に伴って放電灯が劣化して光束が低下してくるため、光束の低下に伴って色温度にも変化が生じ、間接照明による照明環境が変化してしまうという問題があった。
【０００８】
本発明は、上記の点に鑑みて為されたもので、間接照明において放電灯の点灯時間の経過に伴って照明環境が変化するのを防ぐことのできる照明装置を提供することを目的とする。
【課題を解決するための手段】
【０００９】
請求項１の発明は、上記目的を達成するために、器具本体と、器具本体に設けられて放電灯が着脱自在に装着されるソケットと、器具本体に収納されてソケットを介して放電灯に点灯に必要な電力を供給するための点灯装置とを備え、放電灯から照射される光を壁面や天井面で反射させた反射光を被照射空間に照射する照明装置であって、点灯装置は、放電灯の点灯時間の経過に伴う光束低下を抑制するように照度を補正する照度補正手段を有することを特徴とする。
【００１０】
請求項２の発明は、請求項１の発明において、照度補正手段は、放電灯の点灯時間を計測する計時手段と、計測した点灯時間に応じて放電灯への供給電力を制御する制御手段とを有することを特徴とする。
【００１１】
請求項３の発明は、請求項１の発明において、照度補正手段は、器具本体の外部に設けられて放電灯の点灯時間を計測する計測装置からの情報を取得するとともに、取得した情報に応じて放電灯への供給電力を制御する制御手段を有することを特徴とする。
【００１２】
請求項４の発明は、請求項１又は２の発明において、器具本体には、放電灯からの光が照射される壁面や天井面と放電灯との間の距離を可変とする距離可変手段が設けられたことを特徴とする。
【００１３】
請求項５の発明は、請求項１又は２の発明において、器具本体には、放電灯からの光を壁面や天井面に向けて反射させる反射板が設けられ、反射板には、反射板の壁面や天井面に対する角度を可変とする角度可変手段が設けられたことを特徴とする。
【００１４】
請求項６の発明は、請求項１又は２の発明において、器具本体には、放電灯からの光を壁面や天井面に向けて反射させる反射板が設けられ、反射板には、反射板の少なくとも任意の一方向の長さを可変とする長さ可変手段が設けられたことを特徴とする。
【００１５】
請求項７の発明は、請求項４乃至６の何れか１項の発明において、器具本体には、前記各可変手段を放電灯の点灯時間に応じて自動的に調整する調整手段が設けられたことを特徴とする。
【００１６】
請求項８の発明は、請求項１乃至７の何れか１項の発明において、放電灯は、直管形で且つ長手方向の端部周面から周方向に突設する口金を有するものであって、器具本体には、前記口金が装着されるソケットが設けられたことを特徴とする。
【発明の効果】
【００１７】
請求項１〜３の発明によれば、放電灯の点灯時間の経過に伴う光束低下を抑制するように照度を補正するので、壁面や天井面に照射される光の光束を略一定に保つことができ、したがって光束の低下に伴う色温度の変化を防ぐことができて間接照明において放電灯の点灯時間の経過に伴って照明環境が変化するのを防ぐことができる。
【００１８】
請求項４の発明によれば、放電灯からの光が照射される壁面や天井面と放電灯との間の距離を変更することで、被照射空間に照射される光の色温度や照度を微調整することができる。
【００１９】
請求項５の発明によれば、反射板の被照射空間に対する角度を変更することで、被照射空間に照射される光の色温度や照度を微調整することができる。
【００２０】
請求項６の発明によれば、反射板の少なくとも任意の一方向の長さを変更することで、被照射空間に照射される光の色温度や照度を微調整することができる。
【００２１】
請求項７の発明によれば、器具本体を配設する際に各手段を手動で調整する必要が無く、器具本体を配設した後にも自動的に調整が行われるために作業性が向上する。
【００２２】
請求項８の発明によれば、複数の放電灯を長手方向に沿って配設する際に、各放電灯の長手方向の両端部も発光させることができるので、各放電灯を互いに突き合わせた部位においてもムラ無く照明することができる。
【発明を実施するための最良の形態】
【００２３】
（実施形態１）
以下、本発明に係る照明装置の実施形態１について図面を用いて説明する。尚、以下の説明では、図１（ａ）における上下を上下方向と定めるものとする。本実施形態は、図１（ａ）に示すように、略直方体状の器具本体２と、器具本体２の上面において器具本体２の長手方向に離間して配設され、直管形の放電灯１が着脱自在に装着される一対のソケット２０（図１（ｂ）参照）と、器具本体２に収納されてソケット２０を介して放電灯１に点灯に必要な電力を供給するための点灯装置３とを備える。本実施形態は、壁面Ａから突設された断面略Ｌ字状の突台部Ａ１の内底面に器具本体２及び放電灯１を配設し、放電灯１から照射される光を壁面Ａ及び天井面Ｂで反射させて被照射空間に照射する、所謂コーブ照明に用いられる照明装置となっている。尚、本実施形態では、放電灯１として色温度５０００ＫのＨｆランプ（ＦＨＦ３２）を用いている。
【００２４】
点灯装置３は、図１（ｂ）に示すように、商用電源ＡＣ及び放電灯１と接続されており、商用電源ＡＣからの交流電圧を整流する整流回路と、整流回路の出力電圧を昇圧する昇圧回路と、昇圧回路の出力電圧を高周波電圧に変換して放電灯１に印加するインバータ回路とを収納する。尚、上記各回路は周知であって本発明の要旨に関わるものではないので、ここでは図示及び説明を省略する。また、点灯装置３には、放電灯１の点灯時間を計測する計時手段、及び計測した点灯時間に応じて放電灯１への供給電力を制御する制御手段の機能を有するマイコンＩＣが搭載されており、該マイコンＩＣが放電灯１の点灯時間の経過に伴う光束低下を抑制するように照度を補正する照度補正手段となっている。
【００２５】
マイコンＩＣには、計時手段で計時された点灯時間を読み書きするとともに、照度補正に用いられる補正用テーブルを格納したＥＥＰＲＯＭである不揮発性メモリが設けられている。補正用テーブルは、放電灯１の点灯時間と補正用の調光比とを対応付けたテーブルであって、マイコンＩＣは、補正用テーブルから計時された点灯時間を用いて調光比を読み出すことで、放電灯１の光出力を略一定に保つための調光比を決定し、該調光比を用いて放電灯１への供給電力を制御するようになっている。
【００２６】
以下、本実施形態の照度補正について説明する。通常、放電灯１の光束は、図２（ａ）に示すように、点灯時間の経過に伴って放電灯１が劣化することで低下していく（同図の直線ｂ参照）。このように光束が低下すれば、被照射空間に照射される光の色温度も変化してしまい照明環境が変化する虞がある。そこで、上記照度補正手段によって、新品の放電灯１の使用開始時においては放電灯１を全点灯（定格点灯）ではなく抑えた出力（同図では、定格出力を１００％とした場合に７０％）で調光点灯し、放電灯１の点灯時間が経過するのに伴って放電灯１を全点灯に近付けるように放電灯１への供給電力を制御することで、放電灯１の光出力を略一定に保つことができる（同図の直線ａ参照）。例えば、定格出力で光束が４５００ｌｍの本実施形態の放電灯１では、その７０％である３１５０ｌｍの光束が放電灯１の寿命末期まで被照射空間に照射されることになる。
【００２７】
ここで、壁面Ａ及び天井面Ｂを成す壁材として例えば大理石を用いれば、放電灯１から発せられる光の色温度（本実施形態では５０００Ｋ）が、壁面Ａ及び天井面Ｂで反射される際に色温度が若干落ちて４２００Ｋ程度となり、柔らかな白色空間を放電灯１の寿命末期まで得ることができる。尚、上記例では壁材として大理石を用いているが、所望の照明空間を得るために壁材を適宜変更しても構わないのは言うまでもない。
【００２８】
尚、本実施形態の点灯装置３には、図１（ｂ）に示すように、放電灯１の定格出力に対する寿命末期における出力の比率である保守率を設定する切替スイッチＳＷが設けられており、該切替スイッチＳＷで保守率（例えば、６０〜８０％）を設定することで、被照射空間に照射される光の光束を所望の光束に適宜変更することができる。
【００２９】
上述のように、照度補正手段によって放電灯１の光出力を寿命末期まで略一定に保つことで、壁面Ａ及び天井面Ｂに照射される光の光束を略一定に保つことができ、したがって光束の低下に伴う色温度の変化を防ぐことができて間接照明において放電灯の点灯時間の経過に伴って照明環境が変化するのを防ぐことができる。また、図２（ｂ）に示すように、本実施形態の放電灯１における消費電力（同図における直線ｃ参照）は、放電灯１の使用開始時における消費電力が定格出力で点灯する場合（同図における直線ｄ参照）と比較して少なくて済む（同図では、定格出力を１００％とした場合に７０％）ので、省電力の効果も奏することができる。
【００３０】
尚、図３に示すように、マイコンＩＣから計時手段に相当する機能を外し、放電灯１の点灯時間を計測する計測装置３０を器具本体２の外部に設け、該計測装置３０で得られた放電灯１の点灯時間の情報をマイコンＩＣで処理し、取得した情報に応じて放電灯１への供給電力を制御するように構成しても構わない。勿論、放電灯１の点灯時間の経過から光束の低下を予測するのではなく、計測装置３０に光束計の機能をもたせることで被照射空間に照射される光の光束を計測し、得られた光束の情報をマイコンＩＣで処理して放電灯１への供給電力を制御するように構成しても構わない。
【００３１】
ところで、複数の放電灯１をその長手方向に亘って配設する際に、従来の長手方向両端部において軸方向に口金が設けられた放電灯１を用いた場合では、各放電灯１を互いに突き合わせた部位においては発光しないためにムラが生じてしまう。そこで、本実施形態では、図１（ｂ）に示すように、長手方向両端部の周面から周方向に口金１ａが突設された所謂シームレス形の放電灯１を用いるとともに、器具本体２には、このような口金１ａが装着されるソケット２０を設けている。而して、各放電灯１の長手方向両端部も発光させることができるので、各放電灯１を互いに突き合わせた部位においてもムラ無く照明することができる。
【００３２】
（実施形態２）
以下、本発明に係る照明装置の実施形態２について図面を用いて説明する。但し、本実施形態の基本的な構成は実施形態１と共通であるので、共通する部位については説明を省略する。本実施形態は、図４に示すように、放電灯１からの光が照射される天井面Ｂと放電灯１との間の距離を可変とする距離可変手段４を器具本体に設けている。
【００３３】
距離可変手段４は、器具本体２の長手方向の両端部にそれぞれ設けられて器具本体２を固定する固定部４ａと、固定部４ａと突台部Ａ１との間を連結する連結ねじ部４ｂとから成り、連結ねじ部４ｂを回動させることで器具本体２と突台部Ａ１の内底面との間の距離を変更することができる。このため、器具本体２と突台部Ａ１の内底面との間の距離を変更することで、放電灯１と天井面Ｂとの間の距離も変更することができ、距離の変化に応じて被照射空間に照射される光の色温度及び照度を微調整することが可能となる。
【００３４】
尚、本実施形態では距離可変手段４として固定部４ａ及び連結ねじ部４ｂから成る構成を採用しているが、放電灯１と天井面Ｂとの間の距離を変更できる構成であれば他の構成でもよく、例えば、ソケット２０の上下方向における位置を可変する構成にしても構わない。
【００３５】
（実施形態３）
以下、本発明に係る照明装置の実施形態３について図面を用いて説明する。但し、本実施形態の基本的な構成は実施形態１と共通であるので、共通する部位については説明を省略する。本実施形態は、図５に示すように、器具本体２の上面において、放電灯１からの光を壁面Ａ又は天井面Ｂに向けて反射させる反射板５を設けている。
【００３６】
反射板５は、放電灯１の周方向に沿って湾曲した形状に形成されるとともに、放電灯１を挟んだ両側にそれぞれ放電灯１の長手方向に亘って設けられ、全体として放電灯１の下半分を覆うようになっている。また、反射板５は、その長手方向に沿った一端縁がヒンジ部５ａを介して器具本体２に取り付けられており、ヒンジ部５ａを軸として回動自在となっている。即ち、ヒンジ部５ａが反射板５の壁面Ａ又は天井面Ｂに対する角度を変更する角度可変手段となっている。而して、利用者が反射板５の角度を適宜変更することができ、被照射空間に照射される光の色温度や照度を微調整することができる。
【００３７】
また、図６に示すように、角度可変手段であるヒンジ部５ａを設ける代わりに、反射板５を中空構造として、その内部に補助反射板５ｂを収納するとともに、補助反射板５ｂを反射板５から伸縮自在に出し入れ可能な構成とすることで、上下方向における反射板５の長さを変更する長さ可変手段を設けても構わない。この場合、利用者が反射板の上下方向における長さを適宜変更することができ、被照射空間に照射される光の色温度や照度を微調整することができる。
【００３８】
尚、反射板５の目的は被照射空間に照射される光の色温度及び照度を微調整することであり、該目的を達成できるものであればよく、反射板５の形状が本実施形態の形状に限定される必要が無いのは言うまでもない。
【００３９】
ところで、上記実施形態２，３の距離可変手段４、角度可変手段、及び長さ可変手段は何れも器具本体２を配設する段階で調整を終えなければならず、器具本体２を配設した後に調整する場合には、一度器具本体２を取り外して調整しなければならない。そこで、各可変手段を例えばモータや電磁石等を用いて可動させる構成にするとともに、マイコンＩＣから制御信号を与えることで放電灯１の点灯時間の経過に応じて各可変手段を自動的に調整するように構成しても構わない。この場合、器具本体２を突台部Ａ１に配設する際に各手段を手動で調整する必要が無く、また器具本体２を配設した後でも自動的に調整が行われるために作業性が向上する。
【００４０】
尚、上記各実施形態はコーブ照明に用いているが、他の間接照明の方式に用いても構わず、例えば壁面Ａ及び天井面Ｂの接する部分に放電灯１からの直接光を遮蔽する回り縁を設けて壁面Ａを間接的に照明する、所謂コーニス照明に用いても構わない。
【図面の簡単な説明】
【００４１】
【図１】本発明に係る照明装置の実施形態１を示す図で、（ａ）は全体斜視図で、（ｂ）は点灯装置の概略図である。
【図２】同上における初期照度補正の説明図で、（ａ）は点灯時間と照度との相関を示す図で、（ｂ）は点灯時間と消費電力との相関を示す図である。
【図３】同上における点灯装置の他の構成を示す概略図である。
【図４】本発明に係る照明装置の実施形態２を示す概略図である。
【図５】本発明に係る照明装置の実施形態３を示す概略図である。
【図６】同上における反射板の他の構成を示す概略図である。
【図７】（ａ）〜（ｄ）は、それぞれ互いに異なる色温度を有する放電灯の分光スペクトル分布を示す図である。
【図８】代表的な壁材における反射分光特性を示す図である。
【符号の説明】
【００４２】
１  放電灯
１ａ  口金
２  器具本体
２０  ソケット
３  点灯装置
４  距離変更手段
４ａ  固定部
４ｂ  連結ねじ部
５  反射板
５ａ  ヒンジ部（角度可変手段）
ＩＣ  マイコン（照度補正手段）
Ａ  壁面
Ｂ  天井面
【図１】
2009152145.tif 000003
【図２】
2009152145.tif 000004
【図３】
2009152145.tif 000005
【図４】
2009152145.tif 000006
【図５】
2009152145.tif 000007
【図６】
2009152145.tif 000008
【図７】
2009152145.tif 000009
【図８】
2009152145.tif 000010